(57)【要約】【課題】絶縁材から成る成形体から突出した端子を曲折することで得られる湾曲部に作業者の手指や工具等が接触し難く、端子を曲折させる際の曲折性が悪化せず、曲折させた後の湾曲部の柔軟性が損なわれないコネクタを提供する。【解決手段】絶縁材から成る成形体（実装部５０）に、複数の端子７０を間隔を隔てて成形体５０の端部５０ａから突出させて並設し、これらの端子７０を、成形体５０の端部５０ａから突出した部位７９ａで曲折させて使用するコネクタ１０であって、成形体５０の端部５０ａに、端子７０の間に位置させて端子７０を仕切る接触防止壁５５を設け、接触防止壁５５は、端子７０を成形体５０の端部５０ａから突出した部位７９ａで曲折させることで得られる湾曲部７９を、端子７０の並設方向Ｙに臨んで覆うように形成された。【選択図】図２
2009054342.tif 000002
【特許請求の範囲】
【請求項１】
絶縁材から成る成形体に、複数の端子を間隔を隔てて上記成形体の端部から突出させて並設し、これらの端子を、上記成形体の端部から突出した部位で曲折させて使用するコネクタであって、
上記成形体の端部に、上記端子の間に位置させて端子を仕切る接触防止壁を設け、該接触防止壁は、上記端子を上記成形体の端部から突出した部位で曲折させることで得られる湾曲部を、端子の並設方向に臨んで覆うように形成されたことを特徴とするコネクタ。
【請求項２】
絶縁材から成る成形体に、複数の端子を間隔を隔てて上記成形体の端部から突出させて並設し、これらの端子は、上記成形体の端部から突出した部分に、湾曲部を有するコネクタであって、
上記成形体の端部に、上記端子の間に位置させて端子を仕切る接触防止壁を設け、該接触防止壁は、上記端子の湾曲部を、端子の並設方向に臨んで覆うように形成されたことを特徴とするコネクタ。
【請求項３】
上記成形体の端部に形成された上記接触防止壁から突出された各端子に、これらの端子の並設方向に延出して形成されて各端子間の間隔を保持する第１のセパレータを、上記接触防止壁に近接させて設けた請求項１又は２に記載のコネクタ。
【請求項４】
上記各端子の端部に、絶縁材から成る別の成形体を設け、この別の成形体の近傍の各端子に、これらの端子の並設方向に延出して形成されて各端子間の間隔を保持する第２のセパレータを設けた請求項３に記載のコネクタ。
【請求項５】
上記各端子は、上記第１のセパレータと上記第２のセパレータとの間に位置させて、略Ｕ字状に曲折された可撓部を有する請求項４に記載のコネクタ。
【発明の詳細な説明】
【技術分野】
【０００１】
本発明は、成形体から突出された複数の端子を曲折させて使用するコネクタ又は成形体の端部から突出した複数の端子に湾曲部が形成されたコネクタであって、特に、成形体から突出された端子の曲折された部分すなわち湾曲部に作業者の手指や工具等が接触し難いコネクタに関する。
【背景技術】
【０００２】
絶縁材により成る成形体から突出した複数の端子に湾曲部が形成されたコネクタとして、一方の回路基板と他方の回路基板とを電気的に接続するブリッジコネクタが知られている（特許文献１）。
【０００３】
このブリッジコネクタは、成形体から突出した複数の端子の湾曲部が略９０度曲折されており、一方の回路基板（以下基板）とこれに直交するように配置された他方の基板とを接続するものである。詳しくは、このブリッジコネクタは、端子の一端に一方の基板に実装される成形体（以下実装部）が設けられ、端子の他端に他方の基板に実装されたソケットに挿抜されるプラグ部が設けられている。
【０００４】
かかるコネクタは、実装部から突出した複数の端子の湾曲部を防護する部材を備えておらず、端子の湾曲部が実装部から露出した状態となっていた。
【０００５】
【特許文献１】特開平７−３０２６５５号公報
【発明の開示】
【発明が解決しようとする課題】
【０００６】
このため、上記コネクタが組み込まれた電子機器の組立時、検査時、修理時等に、作業者が誤って端子の湾曲部に触れて感電する虞があり、また、工具が端子の湾曲部に当たって端子を曲げ、ショートさせてしまう危惧があった。
【０００７】
この対策として、端子の湾曲部に絶縁材（樹脂）により成るカバーを装着し、湾曲部を作業者の手指や工具から防護するアイデアが考えられる。しかし乍ら、端子の湾曲部にカバーを後付するのでは、カバーの取り付け性が問題となり、且つ部品点数が増し、コストアップを招くと言う欠点がある。また、端子の湾曲部に装着されたカバーによって湾曲部の柔軟性が損なわれるので、端子の一端に設けた実装部を一方の基板に実装した後、端子の他端に設けたプラグ部を他方の基板のソケットに挿抜する際、端子の湾曲部の撓みがそこに装着されたカバーによって制限され、実装の作業性が悪化してしまう。
【０００８】
カバーを端子の湾曲部に後付けするのではなく、カバーをインサート成形で端子の湾曲部に設けることも考えられるが、現実的には不可能である。インサート成形は、通常、端子の一端に配設されるプラグ部の金型と端子の他端に配設される実装部の金型とを一直線上に配置し、その間に直線状の端子を架け渡し、インサート成形した後、端子を曲折して前述の湾曲部を形成するのであるが、端子の湾曲部となる部分（成形時には直線状）にカバーをインサート成形すると、成形後に端子を曲折する際、カバー（樹脂製）が曲げられて破損してしまう。尤も、端子を曲折した状態で湾曲部にカバーをインサート成形することも考えられるが、金型配置、端子のセッティング等が複雑になり、コストアップを招くので現実的ではない。
【０００９】
以上の事情を考慮して創案された本発明の目的は、絶縁材から成る成形体から突出した端子を曲折することで得られる湾曲部に作業者の手指や工具等が接触し難く、端子を曲折させる際の曲折性が悪化せず、曲折させた後の湾曲部の柔軟性が損なわれないコネクタを提供することにある。
【課題を解決するための手段】
【００１０】
上記目的を達成するために本発明は、絶縁材から成る成形体に、複数の端子を間隔を隔てて上記成形体の端部から突出させて並設し、これらの端子を、上記成形体の端部から突出した部位で曲折させて使用するコネクタであって、上記成形体の端部に、上記端子の間に位置させて端子を仕切る接触防止壁を設け、該接触防止壁は、上記端子を上記成形体の端部から突出した部位で曲折させることで得られる湾曲部を、端子の並設方向に臨んで覆うように形成されたことを特徴とするものである。
【００１１】
また、絶縁材から成る成形体に、複数の端子を間隔を隔てて上記成形体の端部から突出させて並設し、これらの端子は、上記成形体の端部から突出した部分に、湾曲部を有するコネクタであって、上記成形体の端部に、上記端子の間に位置させて端子を仕切る接触防止壁を設け、該接触防止壁は、上記端子の湾曲部を、端子の並設方向に臨んで覆うように形成されたことを特徴とするものである。
【００１２】
上記成形体の端部に形成された上記接触防止壁から突出された各端子に、これらの端子の並設方向に延出して形成されて各端子間の間隔を保持する第１のセパレータを、上記接触防止壁に近接させて設けてもよい。
【００１３】
上記各端子の端部に、絶縁材から成る別の成形体を設け、この別の成形体の近傍の各端子に、これらの端子の並設方向に延出して形成されて各端子間の間隔を保持する第２のセパレータを設けてもよい。
【００１４】
上記各端子は、上記第１のセパレータと上記第２のセパレータとの間に位置させて、略Ｕ字状に曲折された可撓部を有していてもよい。
【発明の効果】
【００１５】
本発明に係るコネクタによれば、絶縁材から成る成形体から突出した端子を曲折することで得られる湾曲部に作業者の手指や工具等が接触し難く、端子を曲折させる際の曲折性が悪化せず、曲折させた後の湾曲部の柔軟性が損なわれない。
【発明を実施するための最良の形態】
【００１６】
本発明の好適実施形態を添付図面に基づいて説明する。
【００１７】
図１は本実施形態に係るコネクタ（実装前）の斜視図、図２は図１のII−II線断面図である。
【００１８】
本実施形態に係るコネクタ１０は、樹脂等の絶縁材により成る成形体５０（以下実装部）に、複数の端子７０を間隔を隔てて実装部５０の端部５０ａから突出させて並設（直線状に並設）し、これらの端子７０を、実装部５０の端部５０ａから突出した部位７９ａで図２に仮想線で示すように曲折させて使用するものである。各端子７０の曲折された部位７９ａは、湾曲部７９となる。
【００１９】
実装部５０は、端子７０の並列方向（実装部５０の幅方向）に沿って形成され各端子７０が貫通される本体部５１、同並列方向に沿って形成され各端子７０が貫通される天井部５３、本体部５１の両端と天井部５３の両端とを夫々接続する左右の側壁部５４、本体部５１と天井部５３と左右の側壁部５４とから成る枠体の内部に形成された隔壁部５２を有し、これらが樹脂等の絶縁材により一体的に成形されている。なお、天井部５３は、実装部５０の端部５０ａを構成する。
【００２０】
天井部５３の上面には、各端子７０の間に位置させて、天井部５３を貫通した各端子７０を仕切る接触防止壁５５が複数設けられている。接触防止壁５５は、実装部５０と一体成形され、端子７０を実装部５０の端部５０ａから突出した部位７９ａで曲折させることで得られる湾曲部７９を、端子７０の並設方向に臨んで覆うように形成されている。すなわち、接触防止壁５５は、その上面５５ｔが湾曲部７９より高く、背面５５ｂが湾曲部７９を内方するように形成され、湾曲部７９を図４中矢印Ｙにて示す端子７０の並設方向から見たとき、湾曲部７９を隠すことができるように形成されている。
【００２１】
接触防止壁５５から飛び出た各端子７０には、これらの端子７０の並設方向Ｙに延出して形成されて各端子７０の間隔を保持する第１のセパレータ９３（以下第１セパレータ）が、接触防止壁５５に近接させて設けられている。第１セパレータ９３は、樹脂等の絶縁材から略角柱状に形成されており、第１セパレータ９３には、各端子７０が等間隔を隔てて貫通支持されている。
【００２２】
第１セパレータ９３を貫通した各端子７０の端部には、絶縁材から成る別の成形体としてプラグ部３０が設けられている。プラグ部３０は、各端子７０の接触部７１を整列配置しつつ露出保持する本体部３１、後述するソケットＳ（図３、図４参照）への嵌入を誘う案内部３２、同ソケットＳからの抜け止め機能を発揮する係止爪３３、係止爪３３の抜け止め機能を解除する解除レバー３４、同ソケットＳからプラグ部３０を抜去する際に把持される摘み部３５等を有している。本体部３１、案内部３２、係止爪３３、解除レバー３４、摘み部３５等は、樹脂等の絶縁材により一体成形されている。
【００２３】
プラグ部３０の近傍の各端子７０には、これらの端子７０の並設方向Ｙに延出して形成されて各端子７０の間隔を保持する第２のセパレータ９１（以下第２セパレータ）が設けられている。第２セパレータ９１は、樹脂等の絶縁材から略角柱状に形成されており、第２セパレータ９１には、各端子７０が等間隔を隔てて貫通支持されている。
【００２４】
各端子７０は、第１セパレータ９３と第２セパレータ９１との間に位置させて、略Ｕ字状に曲折された可撓部７４を有する。各端子７０の可撓部７４には、これらの端子７０の並設方向Ｙに延出して形成されて各端子７０の間隔を保持する第３のセパレータ９２（以下第３セパレータ）が設けられている。第３セパレータ９２は、樹脂等の絶縁材から略角柱状に形成されており、第３セパレータ９２には、各端子７０が等間隔を隔てて貫通支持されている。
【００２５】
各端子７０は、プラグ部３０にて露出された接触部７１、プラグ部３０に貫通保持されたプラグ部側埋設部７２、プラグ部３０から引き出されたプラグ部側引き出し部７３、略Ｕ字状に屈曲されフレキシビリテイー性を発揮する可撓部７４、実装部５０の端部５０ａから引き出された実装部側引き出し部７５、実装部５０の端部５０ａに支持される実装部側埋設部７６、実装部５０の隔壁部５２の間を通る挿通部７８、実装部５０の本体部５１から引き出されて後述する基板Ｂｐ（図３参照）にディッピング実装される半田付け部７７を有する。
【００２６】
また、各端子７０は、プラグ部３０の部分にて略９０度曲折された第１曲折部７８ａ、プラグ部側引き出し部７３の近傍にて略９０度曲折された第２曲折部７８ｂ、可撓部７４にて略９０度曲折された第３曲折部７８ｃ、可撓部７４にて略９０度曲折された第４曲折部７８ｄ、実装部側引き出し部７５の近傍にて略９０度曲折された第５曲折部７８ｅを有する。第１曲折部７８ａと第２曲折部７８ｂとの間の端子７０に第２セパレータ９１が配設され、第３曲折部７８ｃと第４曲折部７８ｄとの間の端子７０に第３セパレータ９２が配設され、第５曲折部７８ｅと実装部側埋設部７６との間（前記部位７９ａを曲折させた状態では第５曲折部７８ｅと湾曲部７９との間）の端子７０に第１セパレータ９３が配設されている。
【００２７】
このようなコネクタ１０は、端子７０を金型の中に配設した状態で、プラグ部３０、第１〜第３セパレータ９１〜９３、実装部５０を、樹脂成形する所謂インサート成形により製造される。詳しくは、インサート成形装置から取り出された時点でのコネクタ１０（半完成品）は、第１〜第５曲折部７８ａ〜７８ｅは曲がっておらず真っ直ぐな状態となっている。インサート成形装置から取り出された半完成品のコネクタ１０は、別途ベンディング装置等によって端子７０が第１〜第５曲折部７８ａ〜７８ｅの箇所で折り曲げられることで、図１及び図２に示す完成品（流通品）のコネクタ１０となる。
【００２８】
かかるコネクタ１０は、図３に示すように、本実施形態では段違い平行に配設された２枚の基板Ｂｓ、Ｂｐを架け渡して実装され、所謂ブリッジコネクタとなっている。図４は図３のIV−IV線断面図（基板を省略）である。図３及び図４は、図１及び図２に示す完成品のコネクタ１０の端子７０を、実装部５０から突出した部位７９ａで略９０度曲折した実装時のコネクタ１０を示す。コネクタ１０の実装の手順を以下に述べる。
【００２９】
先ず、図１、図２に示すコネクタ１０（端子７０を部位７９ａで略９０度曲折する前のコネクタ）の実装部５０を一方の基板Ｂｐに実装する。すなわち、コネクタ１０の実装部５０から引き出された半田付け部７７を一方の基板Ｂｐのディップ孔に挿入して半田付けすることで、実装部５０をディッピング実装する。
【００３０】
その後、作業員がプラグ部３０等を摘んで端子７０に力を加え、端子７０を部位７９ａで略９０度曲折し、端子７０の一端に設けられたプラグ部３０を他方の基板Ｂｓに実装されたソケットＳに嵌合させる。なお、作業員がプラグ部３０等を摘んで端子７０を部位７９ａで略９０度曲折する際、第１〜第５各曲折部７８ａ〜７８ｅが適度に撓み、応力が分散される。
【００３１】
端子７０を部位７９ａで略９０度曲折することで得られる湾曲部７９は、治具を用いずに曲折しているため、比較的大きな曲率半径となるが、この湾曲部７９は、接触防止壁５５によって各端子７０の並設方向Ｙに臨んで覆われる。よって、このコネクタ１０が組み込まれた電子機器の組立時、検査時、修理時等に、作業者が誤って端子７０の湾曲部７９に触れて感電する事態を防止でき、また、工具が端子７０の湾曲部７９に当たって端子７０を曲げ、ショートさせてしまう事態を防止できる。
【００３２】
すなわち、端子７０の湾曲部７９は、この湾曲部７９を挟む２つの接触防止壁５５の上面５５ｔより下方で且つ背面５５ｂより内方に位置するので、これら２つの接触防止壁５５によって隠される。よって、作業者の手指が誤って端子７０の湾曲部７９に触れようとしても上記２つの接触防止壁５５によって妨げられ、作業者の手指は接触防止壁５５の上面５５ｔ側からも背面５５ｂ側からも湾曲部７９に触れることが出来ない。また、端子７０の湾曲部７９に向けて工具が近付いても、工具は接触防止壁５５に当たって湾曲部７９には届かず、湾曲部７９がダメージを受けることを防止できる。
【００３３】
端子７０の実装部側引き出し部７５には、第１セパレータ９３が接触防止壁５５に近接させて配設されているので、作業者の手指が、第１セパレータ９３の上面９３ｔと接触防止壁５５の上面５５ｔとの間に位置する端子７０の実装部側引き出し部７５に誤って触れることが防止される。すなわち、第１セパレータ９３の上面９３ｔと接触防止壁５５の上面５５ｔとの間の間隔は、作業者の手指の先端よりも遙かに小さく、作業者の手指が第１セパレータ９３と接触防止壁５５との間の端子７０（実装部側引き出し部７５）に触れようとしても、第１セパレータ９３及び接触防止壁５５によって妨げられる。なお、本実施例では、第１セパレータ９３の上面９３ｔと接触防止壁５５の上面５５ｔとが略面一となっている。
【００３４】
プラグ部３０の本体部３１の背面にはその全幅に亘って高台部３６が形成され、接触部７１から埋設部７２を介してプラグ部側引き出し部７３に連なる端子７０はその第１曲折部７８ａで鋭く直角に曲げられ、プラグ部側引き出し部７３には第２セパレータ９１が高台部３６に近接させて配設されているので、作業者の手指が、第２セパレータ９１の上面９１ｔとプラグ部３０の高台部３６の上面３６ｔとの間に位置する端子７０に誤って触れることが防止される。すなわち、第２セパレータ９１の上面９１ｔとプラグ部３０の高台部３６の上面３６ｔとの間の間隔は、作業者の手指の先端よりも遙かに小さく、作業者の手指が第２セパレータ９１とプラグ部３０の高台部３６との間の端子７０に触れようとしても、第２セパレータ９１及び高台部３６によって妨げられる。なお、本実施形態では、第２セパレータ９１の上面９１ｔとプラグ部３０の高台部３６の上面３６ｔとが略面一となっている。
【００３５】
端子７０の略Ｕ字状に曲折された可撓部７４は、第１セパレータ９３及び第２セパレータ９１によって防護されているので、作業者の手指が、第１セパレータ９３と第２セパレータ９１との間の可撓部７４に誤って触れることが防止される。すなわち、第１セパレータ９３の上面９３ｔと第２セパレータ９１の上面９１ｔとの間の間隔は、作業者の手指の先端よりも遙かに小さく、作業者の手指が第１セパレータ９３と第２セパレータ９１との間の可撓部７４に触れようとしても、第１セパレータ９３及び第２セパレータ９１によって妨げられる。なお、本実施形態では、第１セパレータ９３の上面９３ｔと第２セパレータ９１の上面９１ｔとが略面一となっている。
【００３６】
実装部５０を基板Ｂｐに実装した後に曲折される部位７９ａは接触防止壁５５から離間されているので、接触防止壁５５が、端子７０を曲折する際の曲折力を増大させる部材とならない。すなわち、実装部５０から突出した端子７０を上記部位７９ａで略９０度曲折する際に必要な力は、接触防止壁５５よって悪化することは無い。
【００３７】
端子７０を上記部位７９ａで略９０度曲折する際、各端子７０は第１〜第３セパレータ９１〜９３によって所定間隔が隔てられて連結されているので、各端子７０を纏めて一体的に曲折することが可能となる。
【００３８】
仮に、第１〜第３セパレータ９１〜９３（特に上記部位７９ａに近接する第１セパレータ９３）が存在しない場合、作業者が各端子７０を治具を用いずに手作業で上記部位７９ａで略９０度曲折する際、各端子７０が別々に曲折され得るため、上記部位７９ａ以外の部分で曲折してしまう端子７０が生じ得る。かかる端子７０の曲折部７９は、接触防止壁５５によって各端子７０の並設方向Ｙに臨んで覆われない可能性が有る。
【００３９】
これに対して、本実施形態では、各端子７０は第１〜第３セパレータ９１〜９３によって所定間隔が隔てられて連結されており、特に、第１セパレータ９３によって端子７０が実装部５０から引き出された直後の部分で纏められているので、各端子７０を纏めて一体的に上記部位７９ａで略９０度曲折することが容易にできる。よって、全ての端子７０の湾曲部７９が、接触防止壁５５によって各端子７０の並設方向Ｙに臨んで覆われることになる。
【００４０】
また、接触防止壁５５及び第１セパレータ９３は、端子７０を上記部位７９ａで略９０度曲折することで得られた湾曲部７９から離間されているので、曲折された後に得られる湾曲部７９の柔軟性（弾性）が、接触防止壁５５及び第１セパレータ９３によって損なわれることは無い。よって、コネクタ１０のプラグ部３０を基板Ｂｓに実装されたソケットＳに嵌合させる際、端子７０の可撓部７４のみならず湾曲部７９も適宜撓むことになり、プラグ部３０をソケットＳに容易に嵌合させることできる。
【００４１】
本発明は、上記実施形態に限定されることはない。
【００４２】
上記実施形態に係るコネクタ１０は、一端に実装部５０を有し、他端にプラグ部３０を有するものであるが、両端にプラグ部を有するものでもよいし、両端にソケット部を有するものでもよい。また、端子７０の可撓部７４は省略できる。可撓部７４の幅が狭ければ、各セパレータ９１〜９３は省略できる。端子７０の半田付け部７７は、表面実装でもよく、千鳥配列である必要はない。
【００４３】
また、上記実施形態に係るコネクタ１０は、段違い平行に配設された２枚の基板Ｂｐ、Ｂｓを接続するものであったが、これに限られることはなく、同一平面内に配設された２枚の基板を接続するコネクタでもよい。また、１枚の基板に実装されるコネクタでもよい。また、インサート成形によって製造されるコネクタでなくても構わない。
【００４４】
さらに、端子７０のピッチが広くない場合には、本実施形態で各端子７０間に配設した接触防止壁５５を、端子７０の一つおき二つおき等、間隔を隔てて配設してもよい。すなわち、隣り合う接触防止壁５５同士の間隔は、作業者の手指の先端が隣り合う接触防止壁５５間に進入しない間隔（作業者の手指の先端が接触防止壁５５間の端子７０の湾曲部７９に接触しない間隔）であればよい。
【図面の簡単な説明】
【００４５】
【図１】本実施形態に係るコネクタ（実装前）の斜視図である。
【図２】図１のII−II線断面図であり、仮想線は端子を実装部から突出した部位で略９０度曲折した実装時の様子を示す。
【図３】端子を実装部から突出した部位で略９０度曲折し、段違い平行に配設された２枚の基板を架け渡して実装されたコネクタの斜視図である。
【図４】図３のIV−IV線断面図（基板を省略）である。
【符号の説明】
【００４６】
１０  コネクタ
３０  別の成形体としてのプラグ部
５０  成形体としての実装部
５０ａ  成形体の端部
５５  接触防止壁
７０  端子
７４  端子の可撓部
７９  端子の湾曲部
７９ａ  端子の部位
９１  第２のセパレータ
９３  第１のセパレータ
Ｙ  並設方向
【図１】
2009054342.tif 000003
【図２】
2009054342.tif 000004
【図３】
2009054342.tif 000005
【図４】
2009054342.tif 000006